(57)【要約】【課題】従来のロープ緊張器よりも確実に親ロープを張設した状態に保持することができるロープ緊張器を提供する。【解決手段】それぞれロープスライドガイドを備えた緊張器本体１および補助部材２を、ロープスライドガイド３ａ、３ｂが対向する配置で、一対のリンク４、５によって連結して互いに対して並進運動可能とし、一対のリンクの互いに反対側の端部に、対応するロープスライドガイドに対向してロック爪１５、１６を設け、親ロープ２５を、一方のロープスライドガイドおよびロック爪の間を通した後、プーリ１２を介して折り返し、他方のロープスライドガイドおよびロック爪の間に通し、緊張器本体および補助部材の並進運動に伴って、ロック爪が、親ロープを対応するロープスライドガイドとの間に締付け固定するロック位置と、親ロープの締付け固定を解除するロック解除位置をとるようにする。【選択図】図３
0003127035.tif 000002
【実用新案登録請求の範囲】
【請求項１】
一方の固定点に一端部が固定された親ロープの他端部に設けられ、前記親ロープの他端部を他方の固定点に係止するとともに、前記親ロープを２つの前記固定点間に張設するための親ロープ緊張器であって、
それぞれＵ字状断面のロープスライドガイドを備えた緊張器本体および補助部材を有し、前記緊張器本体および前記補助部材は、そのロープスライドガイドが互いに平行となりかつそのＵ字開口側が対向する配置で、平行な一対のリンクによって互いに連結されていて、互いに対して並進運動し得るようになっており、前記緊張器本体には、前記ロープの向きを反転させるためのプーリが回転自在に取り付けられ、前記親ロープの他端部が前記補助部材のロープスライドガイドに挿通された後、前記プーリを介して折り返され、前記緊張器本体のロープスライドガイドに挿通されるようになっており、一方の前記リンクの一端部および他端部に、または、前記一方のリンクの一端部および他方の前記リンクにおける前記一方のリンクの一端部と反対側の端部にそれぞれロック爪が設けられ、前記ロック爪は、対応する前記ロープスライドガイドに対向して配置されていて、前記緊張器本体および前記補助部材の前記並進運動による前記リンクの回動に伴い、前記並進運動が前記親ロープの弛む向きに生じるときは、前記親ロープを前記対応するロープスライドガイドとの間に締付け固定するロック位置をとるが、前記並進運動が前記親ロープの張られる向きに生じるときには、前記親ロープの締付け固定を解除するロック解除位置をとるようになっており、さらに、前記緊張器本体における前記プーリに関して前記ロープスライドガイドと反対側には、前記他方の固定点に係止するためのフックが連結されていることを特徴とする親ロープ緊張器。
【請求項２】
少なくとも一方の前記リンクを、前記ロック爪が常時前記ロック位置をとる向きに回動せしめるべく弾性付勢するバネを備えていることを特徴とする請求項１に記載の親ロープ緊張器。
【請求項３】
一方の前記リンクの一方の旋回点のまわりに該リンクとともに回動可能に取り付けられ、該リンクを該旋回点のまわりに強制的に回動させることによって前記ロック位置にある前記ロック爪を前記ロック解除位置に移動させるロック解除レバーを備えていることを特徴とする請求項１または請求項２に記載の親ロープ緊張器。
【請求項４】
一方の固定点に一端部が固定された親ロープの他端部に設けられ、前記親ロープの他端部を他方の固定点に係止するとともに、前記親ロープを２つの前記固定点間に張設するための親ロープ緊張器であって、
それぞれＵ字状断面のロープスライドガイドを備えた緊張器本体および補助部材を有し、前記緊張器本体および前記補助部材は、そのロープスライドガイドが互いに平行となりかつそのＵ字開口側が対向する配置で、平行な一対のリンクによって互いに連結されていて、互いに対して並進運動し得るようになっており、前記緊張器本体には、前記ロープの向きを反転させるためのプーリが回転自在に取り付けられ、前記親ロープの他端部が前記補助部材のロープスライドガイドに挿通された後、前記プーリを介して折り返され、前記緊張器本体のロープスライドガイドに挿通されるようになっており、前記一対のリンクの一方の側の端部にそれぞれロック爪が設けられ、前記ロック爪は、対応する前記ロープスライドガイドに対向して配置されていて、前記緊張器本体および前記補助部材の前記並進運動による前記リンクの回動に伴い、前記並進運動が前記親ロープの弛む向きに生じるときは、前記親ロープを前記対応するロープスライドガイドとの間に締付け固定するロック位置をとるが、前記並進運動が前記親ロープの張られる向きに生じるときには、前記親ロープの締付け固定を解除するロック解除位置をとるようになっており、さらに、前記緊張器本体における前記プーリに関して前記ロープスライドガイドと反対側には、前記他方の固定点に係止するためのフックが連結されており、さらに、一方の前記リンクの一方の旋回点のまわりに該リンクとともに回動可能に取り付けられ、該リンクを該旋回点のまわりに強制的に回動させることによって前記ロック位置にある前記ロック爪を前記ロック解除位置に移動させるロック解除レバーを備えていることを特徴とする親ロープ緊張器。
【考案の詳細な説明】
【技術分野】
【０００１】
本考案は、高所作業現場において、一方の固定点に一端部が固定された親ロープの他端部に設けられ、親ロープの他端部を他方の固定点に係止するとともに、前記親ロープを２つの前記固定点間に張設するための親ロープ緊張器の改良に関するものである。
【背景技術】
【０００２】
従来、高所作業現場では、作業者は、墜落防止のために高所作業用安全帯を装着している。高所作業用安全帯には命綱が備えられており、この命綱の先端フックが適切な固定用構造物に係止されることにより、作業者が万一墜落した場合に、作業者は命綱を介して固定用構造物から吊下げられた状態となって、作業者の安全が確保されるようになっている。
【０００３】
ところで、命綱の先端フックを係止することができる適切な固定用構造物が存在しない場所では、通常、親ロープが水平に張設され、固定用構造物の代わりに、親ロープに命綱の先端フックが係止される。そして、この親ロープの張設のために親ロープ緊張器が使用される。
【０００４】
従来の親ロープ緊張器としては、例えば、特開平９‐１５１９９７号公報に記載のものがある。特開平９‐１５１９９７号公報に記載の親ロープ緊張器は、ロープ挿通枠と、そのロープ挿通枠に挿通された親ロープの外周に係合して親ロープを弛み止めする揺動自在の止爪と、ロープ挿通枠に挿通された親ロープの反転ガイド用の溝付きローラとを有するロープ弛み止め具に連結アームを介して安全装置付きのフックを連結したものからなっている。
【０００５】
さらに、ロープ弛み止め具は、ロープ挿通枠と操作枠とを平行に配置された２枚のリンクで接続し、各リンクのロープ挿通枠内に位置する一端部に、ロープ挿通枠に挿通された親ロープの弛み方向の移動時にその親ロープと係合して親ロープを弛み止めする止爪を設け、操作枠をスプリングによってロープ挿通枠から離反する方向に押圧し、その操作枠の親ロープ緊張方向の先端部に、親ロープ挿通枠に挿通された親ロープの反転ガイド用の溝付きローラを取り付けたものからなっている。
【０００６】
この構成によれば、親ロープは、弛み方向に移動するとき、ロープ挿通枠と２つの止爪の間に締付け固定され、すなわち、直線上に位置する２点でロックされるにすぎない。このため、万一作業者が墜落した場合、その衝撃力で、親ロープが緊張器から外れてしまうおそれがある。
【考案の開示】
【考案が解決しようとする課題】
【０００７】
したがって、本考案の課題は、従来のロープ緊張器よりも確実に親ロープを張設した状態に保持することができるロープ緊張器を提供することにある。
【課題を解決するための手段】
【０００８】
上記課題を解決するため、本考案は、一方の固定点に一端部が固定された親ロープの他端部に設けられ、前記親ロープの他端部を他方の固定点に係止するとともに、前記親ロープを２つの前記固定点間に張設するための親ロープ緊張器であって、それぞれＵ字状断面のロープスライドガイドを備えた緊張器本体および補助部材を有し、前記緊張器本体および前記補助部材は、そのロープスライドガイドが互いに平行となりかつそのＵ字開口側が対向する配置で、平行な一対のリンクによって互いに連結されていて、互いに対して並進運動し得るようになっており、前記緊張器本体には、前記ロープの向きを反転させるためのプーリが回転自在に取り付けられ、前記親ロープの他端部が前記補助部材のロープスライドガイドに挿通された後、前記プーリを介して折り返され、前記緊張器本体のロープスライドガイドに挿通されるようになっており、一方の前記リンクの一端部および他端部に、または、前記一方のリンクの一端部および他方の前記リンクにおける前記一方のリンクの一端部と反対側の端部にそれぞれロック爪が設けられ、前記ロック爪は、対応する前記ロープスライドガイドに対向して配置されていて、前記緊張器本体および前記補助部材の前記並進運動による前記リンクの回動に伴い、前記並進運動が前記親ロープの弛む向きに生じるときは、前記親ロープを前記対応するロープスライドガイドとの間に締付け固定するロック位置をとるが、前記並進運動が前記親ロープの張られる向きに生じるときには、前記親ロープの締付け固定を解除するロック解除位置をとるようになっており、さらに、前記緊張器本体における前記プーリに関して前記ロープスライドガイドと反対側には、前記他方の固定点に係止するためのフックが連結されていることを特徴とする親ロープ緊張器を構成したものである。
【０００９】
上記構成において、前記親ロープ緊張器は、少なくとも一方の前記リンクを、前記ロック爪が常時前記ロック位置をとる向きに回動せしめるべく弾性付勢するバネを備えていることが好ましい。
また、前記親ロープ緊張器は、一方の前記リンクの一方の旋回点のまわりに該リンクとともに回動可能に取り付けられ、該リンクを該旋回点のまわりに強制的に回動させることによって前記ロック位置にある前記ロック爪を前記ロック解除位置に移動させるロック解除レバーを備えていることが好ましい。
【００１０】
上記課題を解決するため、また本考案は、一方の固定点に一端部が固定された親ロープの他端部に設けられ、前記親ロープの他端部を他方の固定点に係止するとともに、前記親ロープを２つの前記固定点間に張設するための親ロープ緊張器であって、それぞれＵ字状断面のロープスライドガイドを備えた緊張器本体および補助部材を有し、前記緊張器本体および前記補助部材は、そのロープスライドガイドが互いに平行となりかつそのＵ字開口側が対向する配置で、平行な一対のリンクによって互いに連結されていて、互いに対して並進運動し得るようになっており、前記緊張器本体には、前記ロープの向きを反転させるためのプーリが回転自在に取り付けられ、前記親ロープの他端部が前記補助部材のロープスライドガイドに挿通された後、前記プーリを介して折り返され、前記緊張器本体のロープスライドガイドに挿通されるようになっており、前記一対のリンクの一方の側の端部にそれぞれロック爪が設けられ、前記ロック爪は、対応する前記ロープスライドガイドに対向して配置されていて、前記緊張器本体および前記補助部材の前記並進運動による前記リンクの回動に伴い、前記並進運動が前記親ロープの弛む向きに生じるときは、前記親ロープを前記対応するロープスライドガイドとの間に締付け固定するロック位置をとるが、前記並進運動が前記親ロープの張られる向きに生じるときには、前記親ロープの締付け固定を解除するロック解除位置をとるようになっており、さらに、前記緊張器本体における前記プーリに関して前記ロープスライドガイドと反対側には、前記他方の固定点に係止するためのフックが連結されており、さらに、一方の前記リンクの一方の旋回点のまわりに該リンクとともに回動可能に取り付けられ、該リンクを該旋回点のまわりに強制的に回動させることによって前記ロック位置にある前記ロック爪を前記ロック解除位置に移動させるロック解除レバーを備えていることを特徴とする親ロープ緊張器を構成したものである。
【考案の効果】
【００１１】
本考案によれば、それぞれロープスライドガイドを備えた緊張器本体および補助部材を、ロープスライドガイドが対向する配置で、一対のリンクによって連結して互いに対して並進運動可能とし、一方のリンクの両端部、または一対のリンクの互いに反対側の端部に、対応するロープスライドガイドに対向してロック爪を設け、親ロープを、一方のロープスライドガイドおよびロック爪の間を通した後、プーリを介して折り返し、他方のロープスライドガイドおよびロック爪の間に通し、緊張器本体および補助部材の並進運動に伴って、ロック爪が、親ロープを対応するロープスライドガイドとの間に締付け固定するロック位置と、親ロープの締付け固定を解除するロック解除位置をとるようにしたので、ロック爪がロック位置にあるとき、親ロープは、プーリの外周面の一部を挟んで  両側のロック爪とロープスライドガイドとの間の３点で確実に固定される。したがって、万一作業者が墜落した場合であっても、親ロープが親ロープ緊張器から外れてしまうことがなく、作業者の安全が確保される。また、ロック解除レバーを用いてリンクを手動で回動させ、ロック爪をロック位置からロック解除位置へ移動させることで、張設された親ロープを簡単に解くことができる。
【考案を実施するための最良の形態】
【００１２】
以下、添付図面を参照して、本考案の好ましい実施例について説明する。図１は、本考案の１実施例による親ロープ緊張器の分解斜視図である。図１を参照して、本考案によれば、実質上Ｕ字状断面を有する緊張器本体１と、実質上Ｕ字状断面を有する補助部材２が備えられる。緊張器本体１および補助部材２のそれぞれのＵ字状部分は、ロープスライドガイド３ａ、３ｂを形成している。
【００１３】
緊張器本体１および補助部材２は、ロープスライドガイド３ａ、３ｂが互いに平行となりかつそのＵ字開口側が対向するような配置で、平行な一対のリンク４、５によって互いに連結されていて、互いに対して並進運動し得るようになっている。さらに、緊張器本体１には、ロック解除レバー１１が、一方のリンク４の一方の旋回点のまわりにリンク４とともに回動可能に取り付けられ、リンク４をその旋回点のまわりに強制的に回動させることができるようになっている。
【００１４】
この場合、一方のリンク４の一端部が緊張器本体１の一対の側壁部１ａ、１ｂの間に挿入され、さらに側壁部１ａの外側にはロック解除レバー１１が配置される。そして、リンク４の一端部の連結穴４ｂと、側壁部１ａ、１ｂの連結穴６ｂと、ロック解除レバー１１の連結穴１１ｂが整合せしめられた状態で、連結ピン１０ｂとナット２２ｂによって、リンク４、緊張器本体１およびロック解除レバー１１が互いに連結ピン１０ｂの軸のまわりに旋回可能に連結される。また、リンク４の他端部が補助部材２の一対の側壁部２ａ、２ｂの間に挿入され、さらに補助部材２の側壁部２ａ、２ｂが緊張器本体１の一対の側壁部１ａ、１ｂの間に挿入される。そして、リンク４の一端部の連結穴４ａ、側壁部２ａ、２ｂの連結穴８ａ、側壁部１ａ、１ｂの円弧状ガイド穴６ａおよびロック解除レバー１１の連結穴１１ａが互いに整合せしめられた状態で、連結ピン１０ａおよびナット２２ａによって、リンク４、補助部材２およびロック解除レバー１１が互いに連結され、それによって、リンク４とロック解除レバー１１は、連結ピン１０ａがガイド穴６ａによって案内されるのに伴って連結ピン１０ｂの軸のまわりに一体的に回動可能とされ、一方、リンク４と補助部材２は、互いに連結ピン１０ａの軸のまわりに旋回可能とされる。
【００１５】
また、他方のリンク５の一端部が緊張器本体１の一対の側壁部１ａ、１ｂの間に挿入され、リンク５の一端部の連結穴５ｂと、側壁部１ａ、１ｂの連結穴７ｂが整合せしめられた状態で、連結ピン９ｂとナット２１ｂによって、リンク５および緊張器本体１が互いに連結ピン９ｂの軸のまわりに旋回可能に連結される。また、リンク５の他端部が補助部材２の一対の側壁部２ａ、２ｂの間に挿入され、さらに補助部材２の側壁部２ａ、２ｂが緊張器本体１の一対の側壁部１ａ、１ｂの間に挿入される。そして、リンク５の一端部の連結穴５ａ、側壁部２ａ、２ｂの連結穴８ｂ、側壁部１ａ、１ｂの円弧状ガイド穴７ａが互いに整合せしめられた状態で、連結ピン９ａおよびナット２１ａによって、リンク５および補助部材２が互いに連結され、それによって、リンク５は、連結ピン９ａがガイド穴７ａによって案内されるのに伴って連結ピン９ｂの軸のまわりに旋回可能とされ、一方、リンク５と補助部材２は、互いに連結ピン９ａの軸のまわりに旋回可能とされる。
【００１６】
緊張器本体１の一対の側壁部１ａ、１ｂの間には、また、ロープの向きを反転させるためのプーリ１２が挿入され、側壁部１ａ、１ｂの連結穴１３と、プーリ１２の中央貫通穴１２ａとが整合せしめられた状態で、連結ピン１４およびナット２３によって、プーリ１２が緊張器本体１に取り付けられて連結ピン１４の軸のまわりに回転可能となっている。
【００１７】
図２は、図１の親ロープ緊張器における緊張器本体および補助部材のそれぞれの一方の側壁を取り除いた状態を示す図であり、（Ａ）は、ロック爪がロック解除位置にある状態を、（Ｂ）はロック爪がロック位置にある状態をそれぞれ示している。なお、図２中、プーリ１２は削除してある。また、図３は、図１の親ロープ緊張器に親ロープを装備した状態を示す図であり、（Ａ）は、ロック爪がロック解除位置にある状態を、（Ｂ）はロック爪がロック位置にある状態をそれぞれ示している。
図２を参照して、リンク４の一端部（緊張器本体側）およびリンク５におけるリンク４の一端部と反対側の端部（補助部材側）に、それぞれ、ロック爪１５、１６が設けられる。ロック爪１５は、リンク４端部から、プーリ１２から遠ざかる方向にのびるとともに、ロープスライドガイド３ａに対向して配置され、ロック爪１６は、リンク５端部から、プーリ１２に近づく方向にのびるとともに、ロープスライドガイド３ｂに対向して配置される。
【００１８】
そして、図３（Ａ）に示されるように、親ロープ２５の端部２５ａが補助部材２のロープスライドガイド３ｂとロック爪１６の間に挿通された後、プーリ１２を介して折り返され、緊張器本体１のロープスライドガイド３ａとロック爪１５の間に挿通されることにより、親ロープ２５が親ロープ緊張器に装備される。
【００１９】
こうして、ロック爪１５、１６は、緊張器本体１および補助部材２の並進運動によるリンク４、５の回動に伴い、並進運動が親ロープ２５の弛む向き（図３（Ｂ）の矢印Ｚ方向）に生じるときは、親ロープ２５を対応するロープスライドガイド３ａ、３ｂとの間に締付け固定するロック位置をとるが、並進運動が親ロープ２５の張られる向き（図３（Ａ）の矢印Ｙ方向）に生じるときには、親ロープ２５の締付け固定を解除するロック解除位置をとるようになっている。
【００２０】
また、図２に示されるように、一対のＶ字状バネ１７ａ、１７ｂがリンク５、６と緊張器本体１の側壁部１ａ、１ｂの間に配置され、バネ１７ａ、１７ｂの中央部がリンク５に関係する連結ピン９ａに固定されるとともに、両端部が、それぞれ、リンク５に関係する連結ピン９ｂとリンク４に関係する連結ピン１０ａに固定される。こうして、リンク５、６は、バネ１７ａ、１７ｂの弾性力によって、ロック爪１５、１６が常時ロック位置をとる向きに回動すべく付勢される。
【００２１】
緊張器本体１のプーリ１２に関してロープスライドガイド３ａ、３ｂと反対側において、一対の側壁部１ａ、１ｂの外側にフック連結部材１８が嵌め込まれ、側壁部１ａ、１ｂの連結穴２０と、フック連結部材１８の連結穴１８ａが整合せしめられた状態で、連結ピン１９とナット２４によって、フック連結部材１８が緊張器本体１に取付けられている。
フック連結部材１８には、図３に示されるように、適当な固定点に係止するためのフック２６が連結される。
【００２２】
次に、本考案の親ロープ緊張器の使用方法について説明する。図４は、本考案の親ロープ緊張器の使用状態を示す図である。図４を参照して、本考案の親ロープ緊張器は、親ロープ２５の一端部に設けられる。親ロープ２５の他端にはフック２７が取付けられている。そして、親ロープ緊張器のフック２６が、一方の固定点（柱２８に取付けられた係止ロープ３０に係止されるとともに、親ロープ２５のフック２７が、他方の固定点（柱２９に取付けられた係止ロープ３１）に係止される。そして、親ロープ２５の先端側の部分２５‘が引っ張られる。このとき、ロック爪１５、１６は、バネ１７ａ、１７ｂの弾性付勢力に抗してロック位置からロック解除位置に移動せしめられ、それによって、親ロープ２５は、２つの固定点の間に張られる。ロープ部分２５’の引張力が弱まり、張られた親ロープ２５が緩む方向に力が生じると、ロック爪１５、１６は、バネ１７ａ、１７ｂの弾性付勢力の助けによってロック解除位置からロック位置に移動し、親ロープ２５が２つの固定点の間に張設される。そして、張設された親ロープ２５には、作業者に装着された高所作業用安全ベルトの命綱の先端フック３２が係止される。
【００２３】
本考案の親ロープ緊張器においては、ロック爪１５、１６がロック位置にあるとき、親ロープ２５は、プーリ１２の外周面の一部を挟んで、ロック爪１５とロープスライドガイド３ａとの間、ロック爪１６とロープスライドガイド３ｂとの間の３点で確実に固定される。したがって、万一作業者が墜落した場合であっても、親ロープ２５が親ロープ緊張器から外れてしまうことがなく、作業者の安全が確保される。
張設された親ロープ２５を解く場合には、ロック解除レバー１１を用いてリンク４、５を手動で回動させ、ロック爪１５、１６をロック位置からロック解除位置へ移動させればよい。
【００２４】
図５は、本考案の別の実施例による親ロープ緊張器の図であり、（Ａ）はロック爪がロック解除位置にある状態を、（Ｂ）はロック爪がロック位置にある状態をそれぞれ示している。明瞭化のため、図５中、プーリ１２および補助部材の一方の側壁部２ａは削除してある。図５の実施例は、図１の実施例と、ロック爪を設ける位置が相違しているだけである。したがって、図５中、図１に示したものと同じ構成要素については同一番号を付して詳細な説明を省略する。図５の実施例では、一対のリンク４、５の一方の側の端部にそれぞれロック爪１５‘、１６が設けられ、ロック爪１５’、１６は、対応するロープスライドガイド３ｂに対向して配置されている。
【００２５】
この実施例の場合にも、緊張器本体１および補助部材２の並進運動によるリンク４、５の回動に伴って、並進運動が親ロープの弛む向きに生じるときは、ロック爪１５’、１６は、親ロープを対応するロープスライドガイド３ｂとの間に締付け固定するロック位置（図５（Ｂ））をとるが、並進運動が親ロープの張られる向きに生じるときには、親ロープの締付け固定を解除するロック解除位置（図５（Ａ））をとる。また、ロック解除レバー１１を回動させることで、ロック爪１５’、１６をロック位置からロック解除位置に移動させることができる。
【図面の簡単な説明】
【００２６】
【図１】本考案の１実施例による親ロープ緊張器の分解斜視図である。
【図２】図１の親ロープ緊張器における緊張器本体および補助部材のそれぞれの一方の側壁を取り除いた状態を示す図であり、（Ａ）は、ロック爪がロック解除位置にある状態を、（Ｂ）はロック爪がロック位置にある状態をそれぞれ示している。
【図３】図１の親ロープ緊張器に親ロープを装備した状態を示す図であり、（Ａ）は、ロック爪がロック解除位置にある状態を、（Ｂ）はロック爪がロック位置にある状態をそれぞれ示している。
【図４】図１の親ロープ緊張器の使用状態を示す図である。
【図５】本考案の別の実施例による親ロープ緊張器の図であり、（Ａ）はロック爪がロック解除位置にある状態を、（Ｂ）はロック爪がロック位置にある状態をそれぞれ示している。
【符号の説明】
【００２７】
１  緊張器本体
１ａ、１ｂ  側壁部
２  補助部材
２ａ、２ｂ  側壁部
３ａ、３ｂ  ロープスライドガイド
４、５  リンク
４ａ、４ｂ、５ａ、５ｂ  連結穴
６ａ、７ａ  ガイド穴
６ｂ、７ｂ  連結穴
８ａ、８ｂ  連結穴
９ａ、９ｂ  連結ピン
１０ａ、１０ｂ  連結ピン
１１  ロック解除レバー
１１ａ、１１ｂ  連結穴
１２  プーリ
１２ａ  中央貫通穴
１３  連結穴
１４  連結ピン
１５、１６  ロック爪
１７ａ、１７ｂ  バネ
１８  フック連結部材
１８ａ  連結穴
１９  連結ピン
２０  連結穴
２１ａ、２１ｂ、２２ａ、２２ｂ、２３、２４  ナット
【図１】
0003127035.tif 000003
【図２】
0003127035.tif 000004
【図３】
0003127035.tif 000005
【図４】
0003127035.tif 000006
【図５】
0003127035.tif 000007